(57)【特許請求の範囲】
【請求項１】
複数の浮子が横方向に間隔をあけて配置され水面に浮かべて設置されるフロート部に、下端部に重錘が設けられ漂流物を捕捉する捕捉用ネットが吊設された網場において、
連続する少なくとも二つ以上の前記浮子を浮沈式とし、これらの浮沈浮子の内部に浮力体室を設け、同浮力体室の横方向両端に外部と連通する連通孔をそれぞれ、一方を上端に位置させるとともに他方を下端に位置させた状態で配設し、隣り合う前記連通孔の位置が上下反対になるように前記各浮沈浮子を配置して、隣り合う前記連通孔どうしを配管で連結し、連続する前記浮沈浮子のうち端に位置し、且つ、下端の前記連通孔が隣り合う前記連通孔と前記配管で連結された前記浮沈浮子の上端の前記連結孔を通じて空気の供給と吸引とを行う構成とされ、
さらに前記各浮沈浮子の上部に固定式の補助浮子を設け、前記補助浮子が、前記浮沈浮子の横方向中心より前記連通孔が上端に配置されている側に設けられていることを特徴とする網場。
【請求項２】
前記フロート部の前記浮子が、前記浮沈浮子と固定式の固定浮子とからなり、前記浮沈浮子と前記固定浮子とが色分けされていることを特徴とする請求項１に記載の網場。
【発明の詳細な説明】
【技術分野】
【０００１】
本発明は、流木や塵芥などの水面の漂流物を捕捉して、これらの漂流物から堤体やゲート等のダム設備及び下流域の環境などを保護するための網場に関する。
【背景技術】
【０００２】
従来の網場は、内部に空気を封入可能な樽型の樹脂製の浮子を、横方向に間隔を設けて複数個連ねて連結したフロート部と、同フロート部の全長にわたり吊設し流木や塵芥などの漂流物を捕捉するネットとで構成されている。ネットの下端部には波浪や水流等による捲くれ上がりを防止するための重錘用のチェーンが取り付けられている。
【０００３】
この網場は、その両端部がダム湖の両岸にそれぞれ設置されているアンカーに係留され、フロート部を水面に浮かべダム湖を横断するかたちで配置される。そして、上流から流れてきた流木や塵芥等の漂流物を捕捉し堰き止めることによって、漂流物によるダム設備の損傷や下流域の環境被害などを防いでいる。
【０００４】
このような網場には、漂流物の回収船などの作業船が網場の上流側と下流側とを行き来できるように専用の通船ゲートが設けられている。通船ゲートは網場の一箇所或いは複数箇所に設けられており、作業船で簡単に押し開くことができる扉を備えている。扉は、浮子を装着して水面に浮かべたＵ字型の枠体の左右両側にある一対の支柱に一枚ずつ取り付けられており、不用意に開かないようにするための施錠装置が設けられている。施錠装置はその開錠用操作部に作業船を当接させることによって簡単に開錠することができ、そのまま作業船を前進させると扉を押し開いて通過することができる（例えば、特許文献１参照）。
【０００５】
また、別のタイプとしては、水中に垂設されている一対のガイド部材に沿って、浮沈式の浮子が取り付けられているネットの一部を上下させて作業船の通船を可能としている網場も公知である（例えば、特許文献２参照）。
【特許文献１】特開２００５−２０１００１号公報（第６〜８頁及び第２及び３図）
【特許文献２】特開２００７−３９９５０号公報（第３〜４頁及び第１及び４図）
【発明の開示】
【発明が解決しようとする課題】
【０００６】
しかしながら、上記のような通船ゲートを備えた網場は構造が複雑であるために、製作や現場の設置に手間がかかる。
【０００７】
そこで本発明は、構造がシンプルでありながら作業船の通行が速やかに行える網場の提供を目的としている。
【課題を解決するための手段】
【０００８】
上記の課題を解決するため請求項１記載の網場は、複数の浮子が横方向に間隔をあけて配置され水面に浮かべて設置されるフロート部に、下端部に重錘が設けられ漂流物を捕捉する捕捉用ネットが吊設された網場において、連続する少なくとも二つ以上の前記浮子を浮沈式として、これらの浮沈浮子の内部に浮力体室を設ける。この浮力体室の横方向両端には外部と連通する連通孔をそれぞれ、一方を上端に位置させるとともに他方を下端に位置させた状態で配設する。そして、隣り合う前記連通孔の位置が上下反対になるように前記各浮沈浮子を配置して、隣り合う前記連通孔どうしを配管で連結し、連続する前記浮沈浮きのうち端に位置し、且つ、下端の前記連通孔が隣り合う前記連通孔と前記配管で連結された前記浮沈浮子の上端の前記連結孔を通じて空気の供給と吸引とを行うことを特徴としている。
【０００９】
この請求項１の網場は、連続する前記浮沈浮子のうち端に位置し、且つ、下端の前記連通孔が隣り合う前記連通孔と前記配管で連結された前記浮沈浮子の上端の前記連結孔を通じて空気の吸引を行うと、前記配管で連通した状態になっている前記各浮沈浮子の前記浮力体室が負圧になる。すると、空気を吸引する前記浮沈浮子と反対側に位置する前記浮沈浮子の下端の前記連通孔から水が流入し、前記各浮沈浮子の前記浮力体室が水で満たされ、前記各浮沈浮子は浮力を失って水中に沈下する。沈下の際、前記浮力体室には、下端の前記連通孔を通じて水が流入するために、前記各浮沈浮子は下端の前記連通孔を下にして斜めに傾いた状態で沈下する。そうすると、斜めに傾いた前記浮沈浮子の前記浮力体室において、上端の前記連通孔が最上部に位置した状態になるため、前記浮力体室の空気を残留させずに排出することができる。
【００１０】
一方、空気の供給を行うと、前記各浮沈浮子の前記浮力体室に空気が充填され、前記各浮沈浮子は浮力を得て水面に浮上する。浮上の際、前記浮力体室には、上端の前記連通孔を通じて空気が流入するために、前記各浮沈浮子は、上端の前記連通孔を上にして斜めに傾いた状態で浮上する。そうすると、斜めに傾いた前記浮沈浮子の前記浮力体室において、下端の前記連通孔が最下部に位置した状態になるため、前記浮力体室内の水を残留させずに排出することができる。
【００１１】
このように、空気や水を残留させずに前記浮力体室の空気の給排を行うことができるため、前記浮沈浮子の浮沈を素早く確実に行うことができる。しかも、従来のように開き戸やスライドゲートを設けないため、構造が複雑になることがない。
【００１２】
なお、連続する少なくとも二つ以上の前記浮子を浮沈式としてとは、前記フロートを構成する全ての前記浮子を浮沈式にしたり、浮沈式と固定式（常時水面に浮上しているタイプ）との二種類の前記浮子で構成したりすることが可能であることを意味している。
【００１４】
また、水中に沈下した前記浮沈浮子は、捕捉用ネットの重錘によって上端の前記連通孔が横方向から見て真上に位置した状態、言い換えると下端の前記連通孔が真下に位置した状態になるが、前記補助浮子を設けることによって、より一層この状態を保持させやすくなる。したがって、前記浮力体室内に空気や水が残留することを効果的に防ぐことができる。
【００１５】
請求項３記載の網場は、補助浮子を、浮沈浮子の横方向中心より連通孔が上端に配置されている側に設けることを特徴としている。
【００１７】
請求項２の網場は、フロート部の浮子を、浮沈浮子と固定式の固定浮子とで構成し、前記浮沈浮子と前記固定浮子とを色分けすることを特徴としている。
【００１８】
この請求項２記載の網場は、前記浮沈浮子と前記固定浮子とを色分けすることによって、作業船を通過させる箇所の確認を容易に行うことができる。
【発明の効果】
【００１９】
請求項１記載の網場は、浮力体室の水または空気を残留させずに排出することができるため、浮沈浮子をスムーズに且つ確実に浮沈させることができる。これにより、速やかな作業船の通行が可能になる。また、構造が簡単であるため、製作コストを抑えることができ、設置に要する手間も軽減することができる。
【００２０】
また、浮力体室の水または空気の残留をより効果的に防ぐことができるため、上記請求項１の網場の効果が助長される。
【００２１】
さらに、浮沈浮子の沈下・浮上を手早く行うことができ、作業船を速やかに通孔させることができる。
【００２２】
請求項２の網場は、シンプルな構造でありながら、速やかに作業船を通行させることができる。
【発明を実施するための最良の形態】
【００２３】
以下に、本発明にかかる網場の実施形態について図面１〜８を参照しつつ説明する。
【００２４】
図１は、網場１の設置状態の概要を示す正面図であり、網場１はダム湖Ｄを横断するように配置され、両端部がそれぞれ各岸に設置されているアンカー２に係留されている。
【００２５】
網場１は図２に示すように、主に、複数個の浮子５（６）が横方向に所定の間隔をあけて配置され水面に浮かべて設置されるフロート部７と、同フロート部７の全長にわたって吊設され、上流から流れてくる流木や塵芥などの漂流物を捕捉するための捕捉用ネット８（以下、下部捕捉用ネット８とも言う）とで構成されている。
【００２６】
フロート部７の各浮子５（６）は、硬質樹脂を用いて横置きした樽型の形状、即ち、両端を閉塞した円筒形状に形成されており、横方向両端部には上部と下部とにそれぞれ板状の連結片５ａ（６ａ）が縦向きの状態で設けられている。
【００２７】
この各浮子５（６）を、上下に並列に配置した一対のメインロープ３，４（上メインロープ３，下メインロープ４）間に、横方向に所定の間隔をあけて配置し、上メインロープ３に対して上部二箇所の連結片５ａ（６ａ）で連結するとともに、下メインロープ４に対して下部二箇所の連結片５ａ（６ａ）で連結している。そして、各浮子５（６）間には、その間から漂流物が下流側に流出することを防ぐため、上部捕捉用ネット９が張設されている。
【００２８】
このような構成を有するフロート部７の下メインロープ４に、下部捕捉用ネット８が上端部で取り付けられ吊設された状態になっている。下部捕捉用ネット８の下端部には、各浮子５（６）の下方に位置する部分に重錘用の短いチェーン１０が横向きに取り付けられている。なお、上部捕捉用ネット９及び下部捕捉用ネット８は、ポリエステルやポリエチレン等の化学繊維を素材とした格子状の網目を有するネットである。
【００２９】
フロート部７の浮子５（６）は、固定式の浮子５（固定浮子５とも表す）と浮沈式の浮子６（浮沈浮子６とも表す）とで構成され、中間部に設けた二個の浮沈浮子６以外は全て固定浮子５になっている。
【００３０】
固定浮子５は内部に発泡スチロールが封入され、常時水面に浮かんだ状態になっている。一方、浮沈浮子６は内部の空洞が浮力体室６ｂになっており（図３参照）、この浮力体室６ｂに空気を供給したり、空気を排出して水と交換したりすることで浮沈可能になっている。空気の給排は、浮力体室６ｂの横方向両端にそれぞれ設けられ外部と連通する連通孔６ｃ，６ｄにより行うことができる。これらの連通孔６ｃ，６ｄは、一方を上端に位置させるとともに他方を下端に位置させて、両側の連通孔６ｃ，６ｄが上下反対の位置関係になるように配設されている。
【００３１】
このような浮沈浮子６が二個連続して配置されるとともに、隣り合う連通孔６ｃ，６ｄの位置が上下反対になるように配置されている。便宜上、図中右側を右浮沈浮子６と呼び、左側を左浮沈浮子６と呼ぶことにする。
【００３２】
右浮沈浮子６と左浮沈浮子６とは、隣り合う連通孔６ｃ，６ｄどうし、つまり、左浮沈浮子６の上端の連通孔６ｃと右浮沈浮子６の下端の連通孔６ｄとが、ゴム製の可撓管である配管１１で連結されている。この配管１１を介して左及び右浮沈浮子６の浮力体室６ｂ間における空気および水の流通が可能になっている。
【００３３】
左及び右浮沈浮子６の上部にはそれぞれ上部一対の連結片６ａを使って小型の固定式の補助フロート１２が取り付けられており、各補助フロート１２は、左及び右浮沈浮子６の横方向中心より上端の連通孔６ｃ側に配置されている。補助フロート１２は内部に浮力体として発泡スチロールが収納されており、左及び右浮沈浮子６の沈下を妨げない程度の浮力を有している。
【００３４】
この補助フロート１２を設けることによって、水中に沈下した左及び右浮沈浮子６が、上端の連通孔６ｃが横方向から見て真上に位置した状態、言い換えると下端の連通孔６ｄが真下に位置した状態を保持しやすくなる。且つ、水没した左及び右浮沈浮子６が、上端の連通孔６ｃを上にし且つ下端の連通孔６ｄを下にして斜めに傾いた状態になるため、浮力体室６ｂ内の空気や水の排出をスムーズに行うことができる。
【００３５】
そして、右浮沈浮子６の上端の連通孔６ｃに、可撓性を有する空気配管１３の一端部が接続されている。この空気配管１３は他端部が岸まで延長されて、岸に設置されているエアポンプ１４に接続されている（図１参照）。このエアポンプ１４は、空気の送給と吸引との切り換えが可能なっている。
【００３６】
次に、網場１の作用について説明する。
【００３７】
図３（ａ）は、左及び右浮沈浮子６が、浮力体室６ｂに空気が充填され水面に浮上している状態を示している。エアポンプ１４を吸引側に切り換えて駆動すると、左及び右浮沈浮子６の浮力体室６ｂが負圧になり、左浮沈浮子６の下端の連通孔６ｄから浮力体室６ｂに水が流入し、はじめに左浮沈浮子６が浮力を失って水中に沈下していく（図３（ｂ））。
【００３８】
沈下の際、浮力体室６ｂには、下端の連通孔６ｄを通じて水が流入するため、左浮沈浮子６は、下端の連通孔６ｄを下にして斜めに傾いた状態で沈下する。そうすると、斜めに傾いた左浮沈浮子６の浮力体室６ｂにおいて、上端の連通孔６ｃが最上部に位置した状態になるため、浮力体室６ｂの空気を残留させずに排出することができる。しかも、補助フロート１２によって、上端の連通孔６ｃが真上に位置した状態を保持しやすくなり、波浪や水流等の影響を受けにくく、浮力体室６ｂに空気が残留しにくくなっている（図４（ａ））。なお、図４（ｂ）に補助フロート１２を設けていない例を示している。強い波浪や水流等を受け左浮沈浮子６が傾いた状態になると、上端の連通孔６ｃが真上に位置した状態からずれるため、浮力体室６ｂ内の上端部（斜線部分）に空気が残留し易くなる。
【００３９】
左浮沈浮子６の浮力体室６ｂに水が充満すると、配管１１を通じて右浮沈浮子６の浮力体室６ｂに水が流入する（図３（ｃ））。すると、左浮沈浮子６と同様に、右浮沈浮子６は斜めに傾いた状態で沈下するため、浮力体室６ｂ内の空気が上端の連通孔６ｃから残留することなく排出される。しかも、右浮沈浮子６の上部にも補助フロート１２が設けられているため、上端の連通孔６ｃが真上に位置した状態を保持しやすくなり、浮力体室６ｂに空気が残留しにくい。
【００４０】
このようにして、右浮沈浮子６の浮力体室６ｂ内が水で満たされると、左及び右浮沈浮子６が完全に水中に沈み（図３（ｃ），（ｄ））、図５に示すように、左及び右浮沈浮子６の上を作業船１５が通過可能になる。なお、浮沈浮子６と固定浮子５とは色分けされており、作業船が通行できる箇所の確認が容易に行えるようになっている。これにより、別途目印等を設ける必要がなく構造が複雑になることを避けることができる。
【００４１】
作業船１５が通過したのちは、エアポンプ１４を送給側に切り換えて左及び右浮沈浮子６に空気を供給する。エアポン１４の空気は、空気配管１３を通じて右浮沈浮子６の上端の連通孔６ｃから浮力体室６ｂに供給され、それに伴って浮力体室６ｂの水が下端の連通孔６ｄから可撓管１１を通じて左浮沈浮子６の浮力体室６ｂに押し出される。
【００４２】
右浮沈浮子６は、上端の連通孔６ｃを通じて浮力体室６ｂに空気が流入するため、上端の連通孔６ｃを上にして斜めに傾いた状態で浮上する。この際、傾いた状態の右浮沈浮子６の浮力体室６ｂにおいて、下端の連通孔６ｄが最下部に位置した状態になるため（図３（ｃ）のような状態）、浮力体室６ｂの水は残留することなく排出される。しかも、補助フロート１２によって下端の連通孔６ｄが真下に位置した状態を保持しやすいため、浮力体室６ｂ内に水が残留しにくい。
【００４３】
右浮沈浮子６の浮力体室６ｂが空気で満たされると、配管１１を通じて左浮沈浮子６の浮力体室６ｂに空気が供給される。そうすると、浮力体室６ｂの水が下端の連通孔６ｄから外部に排出され、左浮沈浮子６の浮力が増して浮上する。この際、左浮沈浮子６は、右浮沈浮子６と同様に上端の連通孔６ｃを上にして斜めに傾いた状態で浮上するため、傾いた右浮沈浮子６の浮力体室６ｂにおいて、下端の連通孔６ｄが最下部に位置した状態になり、浮力体室６ｂ内の水は残留することなく排出される（図３（ｂ）のような状態）。しかも、補助フロート１２によって、下端の連通孔６ｄが真下に位置した状態を保持しやすく、浮力体室６ｂの水が残留しにくい。左浮沈浮子６の浮力体室６ｂ内が空気で満たされると、左及び右浮沈浮子６が水面に完全に浮上し、作業船の通路が閉じられた状態になる。
【００４４】
上記実施形態の網場１は、浮沈浮子６を二箇所に設けているが、より多くの箇所に浮沈浮子６を用いることもできるし、図６のように左右対称に設けることもできる。図６の網場１’は、図２における左及び右浮沈浮子６を左右対称に配置した形になっている。したがって、説明の重複を避けるため左側の二個の浮沈浮子６’についてのみ説明を行う。便宜上、図中左側を左浮沈浮子６’とし、右側を右浮沈浮子６’として表す。なお、図２と同一又は同等の部分については同じ符号に「’ 」を付して表し、重複を避けるため説明を省略する。
【００４５】
左及び右浮沈浮子６’にはそれぞれ、上部に補助フロート１２’が取り付けられている。そして、右浮沈浮子６’の上端の連通孔６ｃ’と左浮沈浮子６’の下端の連通孔６ｄ’とが配管１１’で連結され、左浮沈浮子６’の上端の連通孔６ｃ’に空気配管１３’の一端部が接続されている。この空気配管１３’の他端部は、右浮沈浮子６に接続されている空気配管１３と連結されているため、一台のエアポンプ１４で四つの浮沈浮子（左及び右浮沈浮子６、左及び右浮沈浮子６’）の空気の吸引と供給とを同時に行えるようになっている。このように、複数の浮沈浮子を二系統に分けることによって、一系統で設ける場合に比べて素早い浮沈作業を行うことが可能になる。
【００４６】
次に、網場１’の作用を図７に示す。詳細については図２の説明と重複するので省略する。図７（ａ）は左及び右浮沈浮子６と左及び右浮沈浮子６’とに空気が充填され水面に浮上している状態を示している。図７（ｂ）はエアポンプ１４を駆動して空気を吸引している状態を示している。空気が吸引されると、はじめに左浮沈浮子６及び右浮沈浮子６’の下端の連通孔６ｄ，６ｄ’から水が流入して沈み始める。これらの左浮沈浮子６及び右浮沈浮子６’内が水で満たされると、配管１１，１１’を通じて右浮沈浮子６及び左浮沈浮子６’に水が流入し始める（図７（ｃ））。右浮沈浮子６及び左浮沈浮子６’内が水で満たされると図７（ｄ）及び（ｅ）に示すように、全ての浮沈浮子が完全に水中に沈んだ状態になる。
【００４７】
浮上させる場合は、エアポンプ１４を供給側に切り換えて駆動する。そうすると、空気配管１３，１３’を通じて空気が供給され、右浮沈浮子６及び左浮沈浮子６’が浮上し始める。右浮沈浮子６及び左浮沈浮子６’に空気が充填されると、配管１１，１１’を通じて左浮沈浮子６及び右浮沈浮子６’に空気が供給され浮上し始める。そして、左浮沈浮子６及び右浮沈浮子６’に空気が充填されると、全ての浮沈浮子が完全に水面に浮上した状態になる。
【００４８】
また、本発明にかかる網場は、浮沈浮子の下流側に集積用フェンスを配置すれば、網場で捕捉された漂流物を一箇所に集めることができる。例えば、図６の網場１’の場合、図８（ａ）に示すように、集積用フェンス１５の両端部を、各浮沈浮子（左及び右浮沈浮子６と左及び右浮沈浮子６’）を跨ぐようにして網場１’にそれぞれ連結する。集積用フェンス１５は横長のネットに複数の小型の固定式の浮子を横方向に所定間隔で取り付けたもので（図示せず）、網場１’の下流側に半円形に水面に浮かべて設置しておく。そして、浮沈浮子を水中に沈下させると、上流側で滞留している漂流物（斜線部分）が集積用フェンス１５に流入するため、漂流物を一箇所に集めて回収することができる（図８（ｂ））。
【図面の簡単な説明】
【００４９】
【図１】本発明にかかる漂流物捕捉フェンス実施形態の設置状態の概要を示す正面図。
【図２】図１における浮沈式のメインフロートが設けられている部分の部分拡大図。
【図３】図３（ａ）〜（ｄ）は浮沈式のメインフロートが水中に沈下して行く状態を示す説明図。
【図４】図４（ａ）は浮沈式のメインフロートを側方から見た図。  図４（ｂ）は補助フロート無しの浮沈式のメインフロートを側方から見た図。
【図５】浮沈式のメインフロートが沈下した漂流物捕捉フェンスを作業船が通過している状態を示す平面図。
【図６】本発明にかかる漂流物捕捉フェンスの別の実施形態を示す部分拡大正面図。
【図７】図６の漂流物捕捉フェンスに設けられている浮沈式のメインフロートが水中に沈下して行く状態を示す説明図。
【図８】図８（ａ）は本発明にかかる漂流物捕捉フェンスに集積用フェンスを設けた状態を示す平面図。図８（ｂ）は漂流物を集積用フェンスで集積した状態を示す平面図。
【符号の説明】
【００５０】
１    網場
５    浮子
６    浮沈浮子
６ｂ  浮力体室
６ｃ  連通孔
６ｄ  連通孔
７    フロート部
８    下部捕捉用ネット
１０  チェーン（重錘）
１１  配管
【図１】
0004637194.tif 000002
【図２】
0004637194.tif 000003
【図３】
0004637194.tif 000004
【図４】
0004637194.tif 000005
【図５】
0004637194.tif 000006
【図６】
0004637194.tif 000007
【図７】
0004637194.tif 000008
【図８】
0004637194.tif 000009